(57)【要約】【課題】  本発明は、取り付け物を被取り付け部に固定する際に使用する取り付け器具に関し、取り付け物が下方から外力を受けて押し上げられた際、被取り付け部から取り付け器具が外れることを防止することのできる取り付け器具を提供することを目的とする。【解決手段】  被対象物３２に装着されたベルト３１の上端部に係合される上部係合部２３と、押え部２４と、プリンター付き端末１０に固定される固定部２１と、固定部２１の下端部に設けられ、ベルト３１の下端部を係合可能に構成された下部係合部２７とによりベルトクリップ２０を構成する。【選択図】  図１
2005233323.tif 000002
【特許請求の範囲】
【請求項１】
取り付け物と被取り付け部との間に介在され、前記取り付け物を前記被取り付け部に取り付ける取り付け器具において、
前記取り付け物を固定する固定部と、
該固定部の上端部に設けられ、前記被取り付け部の上端部に係合する上部係合部と、
前記固定部の下端部に設けられ、被取り付け部の下端部に係合する下部係合部と、
前記上部係合部に設けられ、前記固定部と共に前記被取り付け部を挟持する押え部とを備えたことを特徴とする取り付け器具。
【請求項２】
前記上部係合部は、弾性変形可能に構成されていることを特徴とする請求項１に記載の取り付け器具。
【請求項３】
前記下部係合部は、弾性変形可能に構成されていることを特徴とする請求項１または２に記載の取り付け器具。
【請求項４】
前記固定部は、前記被取り付け部側に突出した第１の凸部を有し、
前記押え部は、前記被取り付け部側に突出し、前記第１の凸部と対向するよう設けられた第２の凸部を有することを特徴とする請求項１乃至３のいずれか１項に記載の取り付け器具。
【発明の詳細な説明】
【技術分野】
【０００１】
本発明は、取り付け器具に係り、特に携帯用電子機器をベルト等に固定する際に使用する取り付け器具に関する。
【背景技術】
【０００２】
従来、小型ラジオや携帯電話等（取り付け物）のような携帯用電子機器を、被対象物（例えば、人間）に装着されたベルト（被取り付け部）に固定する際には、取り付け器具であるベルトクリップが使用されている。このベルトクリップは、携帯用電子機器に固定されており、携帯用電子機器は、ベルトクリップを介してベルトに装着される。
【０００３】
従来技術としては、バンドストラップを装着するための抜き孔と、掛止片とを有し、携帯用電子機器に対してビスで固定される板状のベルトハンガーがある（例えば、特許文献１参照。）。
【０００４】
また、他の従来技術としては、携帯用電子機器の裏面に、クリップの上端側を回動自在に枢着させ、クリップのベルトと接触する面に、摩擦係数が大きく、かつ下部に携帯用電子機器側に突設された係止突起を有する弾性部材を設けて、幅の広いベルトに対しても携帯用電子機器の装着を可能としたベルトクリップがある（例えば、特許文献２参照。）。
【特許文献１】実開平５−２７８９２号公報
【特許文献２】特開平１１−４０９５２号公報
【発明の開示】
【発明が解決しようとする課題】
【０００５】
しかしながら、上記２つの従来技術では、ベルトにベルトクリップを介して装着された携帯用電子機器が下方から外力を受けて押し上げられた際、ベルトクリップがベルトから外れてしまうという問題があった。
【０００６】
そこで、本発明は上記の点に鑑みてなされたものであり、取り付け物が下方から外力を受けて押し上げられた際、被取り付け部から取り付け器具が外れることを防止することのできる取り付け器具を提供することを目的とする。
【課題を解決するための手段】
【０００７】
上記課題を解決するために本発明では、次に述べる手段を講じたことを特徴とするものである。
【０００８】
請求項１記載の発明では、固定部と、該固定部の上端部に設けられ、被取り付け部の上端部に係合する上部係合部と、前記固定部の下端部に設けられ、被取り付け部の下端部に係合する下部係合部と、前記上部係合部に前記固定部と平行となるように設けられた押え部とを備えたことを特徴とする取り付け器具により、解決できる。
【０００９】
上記発明によれば、下部係合部を固定部の下端部に設けることにより、携帯用電子機器が下方から外力を受けて押し上げられた際、下部係合部によりベルトの下端部を係合させて、取り付け器具が被取り付け部から外れることを防止することができる。
【発明の効果】
【００１０】
本発明は、取り付け物が下方から外力を受けて押し上げられた際、被取り付け部から取り付け器具が外れることを防止することのできる取り付け器具を提供することができる。
【発明を実施するための最良の形態】
【００１１】
次に、図面に基づいて本発明の実施例を説明する。
【００１２】
図１乃至図２を参照して、本発明の本実施例によるベルトクリップを備えたプリンター付き端末について説明する。図１は、本発明の本実施例によるベルトクリップを備えたプリンター付き端末を示した図であり、図２は、本実施例のベルトクリップを示した図である。なお、図１は、プリンター付き端末１０に固定されたベルトクリップの通常の使用状態を示した図である。
【００１３】
携帯用電子機器（取り付け物）であるプリンター付き端末１０は、端末本体１１に小型プリンターが内蔵されており、ロール状のプリンター用紙１３がセットされている。また、端末本体１１の面１１Ａには、ベルトクリップ２０が固定されている。プリンター付き端末１０は、ベルトクリップ２０を介してベルト３１に装着されている。ベルト３１は、被対象物３２に装着されている。被対象物３２は、例えば、人間等である。
【００１４】
次に、図１乃至図２を参照して、ベルトクリップ２０について説明する。ベルトクリップ２０は、金属板を打ち抜き、屈曲して成形されており、大略すると固定部２１と、上部係合部２３と、押え部２４と、下部係合部２７とにより構成されている。固定部２１は、ベルトクリップ２０をプリンター付き端末１０に固定するための板部材である。固定部２１は、例えばビスによりプリンター付き端末１０に固定される。
【００１５】
上部係合部２３は、上部係合部２３の上端部と、押え部２４の上端部とを接続するように設けられており、その形状は逆Ｕ字に構成されている。この上部係合部２３には、ベルト３１の装着時に被対象物３２に装着されたベルト３１の上端部が係合される。また、上部係合部２３は、弾性変形可能な構成とされており、上部係合部２３には、例えば板バネを用いることができる。
【００１６】
図３は、ベルトクリップをベルトに装着する際の装着方法を説明するための図である。なお、ベルトクリップをベルトに装着する際の装着方法は後述する。
【００１７】
上部係合部２３を弾性変形可能な構成とすることにより、図３に示すように、ベルトクリップ２０にベルトを装着する際、固定部２１に対して離間する方向に押え部２４を移動させて、ベルトクリップ２０をベルトに装着し易くすることができる。
【００１８】
押え部２４は、固定部２１と対向するように、上部係合部２３の一方の端部に設けられている。固定部２１と押え部２４との間には、空間３６が形成され、この空間３６にベルト３１が収納される。
【００１９】
図４は、プリンター付き端末が下方から外力を受けて押し上げられた際のベルトとベルトクリップとの状態を示した図である。下部係合部２７は、固定部２１の下端部に設けられており、その形状はＵ字型に構成されている。下部係合部２７は、ベルト３１の下端部を係合可能に構成されている。
【００２０】
このような下部係合部２７を設けることにより、図４に示すように、プリンター付き端末１０が下方から外力Ｆを受けた際、下部係合部２７は、ベルト３１の下端部を引っ掛けて（当接して）、ベルト３１からベルトクリップ２０が外れることを防止することができる。また、ベルト３１が下部係合部２７に当接される際、２つの凸部２５，２２により、ベルト３１の端部を精度良く、スムーズに下部係合部２７に案内することができる。これにより、プリンター付き端末１０が下方から外力Ｆを受けた際、開口部２８からベルト３１の端部が飛び出して、ベルトクリップ２０からベルト３１が外れることを防止できる。
【００２１】
また、下部係合部２７は、弾性変形可能な構成とされており、下部係合部２７には、例えば板バネを用いることができる。このように、下部係合部２７を弾性変形可能な構成とすることにより、ベルトクリップ２０にベルトを装着する際、固定部２１側に押え部２４を移動させて、ベルトクリップ２０をベルトに装着し易くすることができる。
【００２２】
次に、ベルトクリップ２０をベルト３１に装着脱する際の装着脱方法について説明する。図３に示すように、ベルトクリップ２０をベルト３１に装着する際は、上部係合部２７を固定部２１から離間する方向に移動させて、ベルト３１をベルトクリップ２０内に挿入するか、又は下部係合部２３を固定部２１側に変位させることで、ベルト３１をベルトクリップ２０内に挿入することで、ベルトクリップ２０内にベルト３１を装着することができる。
【００２３】
図５は、ベルトクリップをベルトから取り外す際の取り外し方法を説明するための図である。図５に示すように、ベルトクリップ２０をベルト３１から取り外す際には、下部係合部２３が被対象物３２から離間する方向（方向Ｃ）にプリンター付き端末１０を移動させて隙間３５を形成させた状態で、プリンター付き端末１０を上方（方向Ｄ）に押し上げることで、隙間３５からベルト３１を抜き出すことができる。
【００２４】
上記説明したような構成のベルトクリップ２０をプリンター付き端末１０に設けることにより、プリンター付き端末１０が下方から外力を受けて押し上げられた際でも、ベルト３１からベルトクリップ２０が外れることを防止することができる。
【００２５】
以上、本発明の好ましい実施例について詳述したが、本発明はかかる特定の実施形態に限定されるものではなく、特許請求の範囲内に記載された本発明の要旨の範囲内において、種々の変形・変更が可能である。なお、本実施例においては、上部係合部２３と下部係合部２７とを弾性変形可能な構成としたが、上部及び下部係合部２３，２７のいずれか一方のみを弾性変形可能な構成としても良く、本実施例と同様な効果を得ることができる。また、本実施例では、携帯用電子機器としてプリンター付き端末１０を例に挙げて説明したが、本実施例のベルトクリップ２０は、携帯用電子機器である携帯用ラジオ、携帯電話、携帯測定器等に設けても良く、プリンター付き端末１０に限定されない。
【産業上の利用可能性】
【００２６】
本発明は、取り付け物が下方から外力を受けて押し上げられた際、被取り付け部から取り付け器具が外れることを防止することのできる取り付け器具に適用できる。
【図面の簡単な説明】
【００２７】
【図１】ベルトに装着された本発明の本実施例によるベルトクリップを備えたプリンター付き端末を示した図である。
【図２】本実施例のベルトクリップを示した図である。
【図３】ベルトクリップをベルトに装着する際の装着方法を説明するための図である。
【図４】プリンター付き端末が下方から外力を受けて押し上げられた際のベルトとベルトクリップとの状態を示した図である。
【図５】ベルトクリップをベルトから取り外す際の取り外し方法を説明するための図である。
【符号の説明】
【００２８】
１０  プリンター付き端末
１１  端末本体
１１Ａ，２２Ａ  面
１３  プリンター用紙
２０  ベルトクリップ
２１  固定部
２２  第２の凸部
２３  上部係合部
２４  押え部
２５  第１の凸部
２７  下部係合部
２８  開口部
３１  ベルト
３２  被対象物
３５  隙間
３６  空間
Ｆ  外力
【図１】
2005233323.tif 000003
【図２】
2005233323.tif 000004
【図３】
2005233323.tif 000005
【図４】
2005233323.tif 000006
【図５】
2005233323.tif 000007